(57)【要約】  構成済みグラントリソースを用いて構成される端末（１０２）が提供され、端末（１０２）は、構成済みグラントリソースにおいて制限された制御情報を送信するように適合される。
2021511690.tif 000002
【特許請求の範囲】
【請求項１】
構成済みグラントリソースを用いて構成される端末（１０２）であって、
前記端末（１０２）が、前記構成済みグラントリソースにおいて制限された制御情報を送信するように適合される、端末（１０２）。
【請求項２】
前記端末（１０２）が、
プロセッサ（１０３）と、
送受信機（１０４）と
を含み、
前記プロセッサ（１０３）が、前記端末のために構成された複数のＵＣＩタイプの中から前記構成済みグラントリソース上で伝送される必要がある少なくとも１つのＵＣＩタイプを決定するように構成され、
前記送受信機（１０４）が、前記構成済みグラントリソースを使用して前記少なくとも１つのＵＣＩタイプの制御情報を送信するように構成される、
前記構成済みグラントリソースを用いて構成される、請求項１に記載の端末（１０２）。
【請求項３】
前記少なくとも１つのＵＣＩタイプがＨＡＲＱ−ＡＣＫを指示する、請求項２に記載の端末（１０２）。
【請求項４】
前記少なくとも１つのＵＣＩタイプの優先度が前記複数のＵＣＩタイプのその他のＵＣＩタイプの優先度よりも高い、請求項２または３に記載の端末（１０２）。
【請求項５】
前記複数のＵＣＩタイプが、ＨＡＲＱ−ＡＣＫ、ＣＳＩパート１、ＣＳＩパート２およびＳＲのうちの少なくとも１つを含む、請求項２から４のいずれか一項に記載の端末（１０２）。
【請求項６】
前記少なくとも１つのＵＣＩタイプがＵＲＬＬＣに関する前記ＵＣＩを指示する、請求項２から５のいずれか一項に記載の端末（１０２）。
【請求項７】
前記少なくとも１つのＵＣＩタイプが、ＵＲＬＬＣのＨＡＲＱ−ＡＣＫビットを指示する、請求項６に記載の端末（１０２）。
【請求項８】
前記複数のＵＣＩタイプが、ＵＲＬＬＣについてのＵＣＩおよびｅＭＢＢについてのＵＣＩのうちの少なくとも１つを含む、請求項６に記載の端末（１０２）。
【請求項９】
前記プロセッサ（１０３）が、前記決定された少なくとも１つのＵＣＩタイプを除く前記複数のＵＣＩタイプ中のその他のＵＣＩタイプの制御情報を廃棄するようにさらに構成される、請求項２から８のいずれか一項に記載の端末（１０２）。
【請求項１０】
前記送受信機（１０４）が、ＰＵＳＣＨ上で前記構成済みグラントリソースを使用して前記決定された少なくとも１つのＵＣＩタイプの前記制御情報を送信するように構成される、請求項２から９のいずれか一項に記載の端末（１０２）。
【請求項１１】
前記端末が、
プロセッサ（１０３）と、
送受信機（１０４）と
を含み、
前記プロセッサ（１０３）が、ＵＣＩ情報を伝送するために必要なリソース要素の数と、ネットワーク機器によって構成された前記構成済みグラントリソース内のリソース要素の数とを決定するように構成され、
前記プロセッサ（１０３）が、前記ＵＣＩ情報を伝送するために必要なリソース要素の前記数が前記ネットワーク機器（１０１）によって構成されたリソース要素の前記数より大きい場合、前記送受信機（１０４）に、前記ネットワーク機器によって構成された前記構成済みグラントリソース内の前記リソース要素を使用して前記ＵＣＩ情報の一部分を送信するよう命令するように構成される、
前記構成済みグラントリソースを用いて構成される、請求項１に記載の端末（１０２）。
【請求項１２】
前記ＵＣＩ情報の前記部分が、ＵＣＩの部分ビットを指示する、請求項１１に記載の端末（１０２）。
【請求項１３】
前記プロセッサ（１０３）が、前記ネットワーク機器によって構成された前記構成済みグラントリソース内の前記リソース要素が伝送できるＵＣＩ情報の前記部分を除くＵＣＩ情報のその他の部分を廃棄するようにさらに構成される、前記請求項１１または１２のいずれか一項に記載の端末（１０２）。
【請求項１４】
前記ＵＣＩ情報の前記部分がＨＡＲＱ−ＡＣＫである、請求項１１から１３のいずれか一項に記載の端末（１０２）。
【請求項１５】
前記ＵＣＩ情報の前記部分がＵＲＬＬＣのＨＡＲＱ−ＡＣＫビットである、請求項１１から１３のいずれか一項に記載の端末（１０２）。
【請求項１６】
前記送受信機（１０４）が、ＰＵＳＣＨ上の前記ネットワーク機器によって構成された前記構成済みグラントリソース内の前記リソース要素を使用してＵＣＩ情報の前記部分を送信するように構成される、請求項１１から１５のいずれか一項に記載の端末（１０２）。
【請求項１７】
ネットワーク機器（１０１）であって、
前記ネットワーク機器（１０１）が、構成済みグラントリソースにおいて制限された制御情報を送信するよう端末（１０２）を構成するように適合される、ネットワーク機器（１０１）。
【請求項１８】
前記ネットワーク機器（１０１）が、
ネットワーク機器プロセッサ（１１１）と、
ネットワーク機器送受信機（１１２）と
を含み、
前記ネットワーク機器プロセッサ（１１１）が、端末（１０２）を構成済みグラントリソースにおいて制限された制御情報を送信するよう構成する命令を生成するように適合され、
前記ネットワーク機器送受信機（１１２）が、前記端末（１０２）に前記命令を送信するように適合される、
請求項１７に記載のネットワーク機器（１０１）。
【発明の詳細な説明】
【技術分野】
【０００１】
本発明は、通信ネットワークの技術分野に関する。特に、本発明は、端末またはＵＥとネットワーク機器とに関する。
【背景技術】
【０００２】
５Ｇの特徴は、遅延、信頼性、およびスループットに関して異なる性能要件を有する異なるデバイスおよびサービスをサポートできることである。さらに、ＵＲＬＬＣトラフィックは１ミリ秒などの低遅延および９９．９９９％などの高スループットでサポートされ、ｅＭＢＢトラフィックは高スループットで、ただし緩和された遅延要件および信頼性要件でサポートされる。加えて、５Ｇは、ＩＰデータトラフィック、非ＩＰデータトラフィックなどのデータ・トラフィック・モデル、および、例えば、モノのインターネットベースのアプリケーションにおけるものなどの短いデータバーストをサポートすることもできる。そのようなアプリケーションでは、センサが、小さい状況更新からストリーミングビデオまでの範囲のサイズのデータパッケージを送信する場合もあり、またはスマートフォンなどの最新の電話機が多種多様な量のデータを生成する場合もある。４Ｇとは対照的に、５Ｇのアーキテクチャは、大量のデータ用に設計されているのみならず、少量のデータ送信前後の冗長なシグナリング手順を必要とせずに短いデータバーストもサポートする。クラウドロボティクスのようなクラウドアプリケーションでは、デバイスではなくネットワークで計算を行い得るので、低エンド間遅延および高データレートも必要とし得る。
【０００３】
異なるデバイスではモビリティ要件も異なり得る。インフラストラクチャに組み込まれたセンサは、その全耐用期間にわたって固定され得る。他のデバイスは、作動期間中は固定されるが作動間には移動され得るか、または他のデバイスは完全に移動式であり得る。
【０００４】
“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；ＮＲ；Ｍｕｌｔｉｐｌｅｘｉｎｇ  ａｎｄ  ｃｈａｎｎｅｌ  ｃｏｄｉｎｇ（Ｒｅｌｅａｓｅ  １５）”という表題の文書３ＧＰＰ  ＴＳ  ３８．２１２  Ｖ１．２．１（２０１７−１２）では、５Ｇ  ＮＲ（Ｎｅｗ  Ｒａｄｉｏ（新無線））のための符号化、多重化および物理チャネルへのマッピングが指定されている。
【０００５】
“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；ＮＲ；Ｐｈｙｓｉｃａｌ  ｌａｙｅｒ  ｐｒｏｃｅｄｕｒｅｓ  ｆｏｒ  ｄａｔａ（Ｒｅｌｅａｓｅ  １５）”という表題の文書３ＧＰＰ  ＴＳ  ３８．２１４  Ｖ２．０．０（２０１７−１２）では、５Ｇ‐ＮＲのためのデータチャネルの物理層手順の特性が指定および規定されている。この仕様では、第５．２．３章に、ＰＵＳＣＨ（Ｐｈｙｓｉｃａｌ  Ｕｐｌｉｎｋ  Ｓｈａｒｅｄ  Ｃｈａｎｎｅｌ（物理上り共有チャネル））を使用したＣＳＩ（Ｃｈａｎｎｅｌ  Ｓｔａｔｅ  Ｉｎｆｏｒｍａｔｉｏｎ（チャネル状態情報））報告が記載されている。ＣＳＩはＵＣＩ（Ｕｐｌｉｎｋ  Ｃｏｎｔｒｏｌ  Ｉｎｆｏｒｍａｔｉｏｎ（上り制御情報））の一部である。
【０００６】
“３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ  ＮＲ  Ｒａｄｉｏ  Ｒｅｓｏｕｒｃｅ  Ｃｏｎｔｒｏｌ（ＲＲＣ）Ｐｒｏｔｏｃｏｌ  ｓｐｅｃｉｆｉｃａｔｉｏｎ（Ｒｅｌｅａｓｅ  １５）という表題の文書３ＧＰＰ  ＴＳ  ３８．３３１  Ｖ１．０．０（２０１７−１２）には、ＲＲＣ（Ｒａｄｉｏ  Ｒｅｓｏｕｒｃｅ  Ｃｏｎｔｒｏｌ（無線リソース制御））情報要素（ＩＥ）が記載されている。
【先行技術文献】
【非特許文献】
【０００７】
【非特許文献１】３ＧＰＰ  ＴＳ  ３８．２１２  Ｖ１．２．１  （２０１７−１２），“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；ＮＲ；Ｍｕｌｔｉｐｌｅｘｉｎｇ  ａｎｄ  ｃｈａｎｎｅｌ  ｃｏｄｉｎｇ  （Ｒｅｌｅａｓｅ  １５）”
【非特許文献２】３ＧＰＰ  ＴＳ  ３８．２１４  Ｖ２．０．０  （２０１７−１２），“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；ＮＲ；Ｐｈｙｓｉｃａｌ  ｌａｙｅｒ  ｐｒｏｃｅｄｕｒｅｓ  ｆｏｒ  ｄａｔａ  （Ｒｅｌｅａｓｅ  １５）”
【非特許文献３】３ＧＰＰ  ＴＳ  ３８．３３１  Ｖ１．０．０  （２０１７−１２），“３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ  ＮＲ  Ｒａｄｉｏ  Ｒｅｓｏｕｒｃｅ  Ｃｏｎｔｒｏｌ  （ＲＲＣ）  Ｐｒｏｔｏｃｏｌ  ｓｐｅｃｉｆｉｃａｔｉｏｎ  （Ｒｅｌｅａｓｅ  １５）
【発明の概要】
【発明が解決しようとする課題】
【０００８】
本発明の目的は、ＰＵＳＣＨにおけるＵＣＩの効率的なピギーバック、多重化または伝送を提供することである。
【０００９】
構成済みグラントリソースにおけるＵＣＩピギーバックは未解決の問題である。ＵＣＩを常にＰＵＳＣＨにピギーバックできるというＬＴＥ（Ｌｏｎｇ  Ｔｅｒｍ  Ｅｖｏｌｕｔｉｏｎ）の方式が適用される場合、特にＵＲＬＬＣ（Ｕｌｔｒａ−Ｒｅｌｉａｂｌｅ  Ｌｏｗ−Ｌａｔｅｎｃｙ  Ｃｏｍｍｕｎｉｃａｔｉｏｎｓ（超高信頼低遅延通信））データについての構成済みグラントリソースのデータ信頼性を保証することができない。
【００１０】
ＵＣＩのピギーバックまたは伝送は未解決の問題である。
【００１１】
ＵＣＩがＰＵＳＣＨにピギーバックされると、データ配信が信頼性を欠くものになり得る。
【００１２】
本発明の要点と見なされ得るのは、ＰＵＳＣＨ上で伝送されるべき制御情報の数量を制御することによってＰＵＳＣＨ上で伝送されるべき制御情報の数を制限することである。このようにして、制御情報の搬送の信頼性が高まり得る。
【課題を解決するための手段】
【００１３】
よって、本発明の一態様によれば、ＵＣＩピギーバックの固定パターンを防止するＰＵＳＣＨでのＵＣＩピギーバックの規則または方法が提供され得る。
【００１４】
本発明の一態様によれば、端末および／または端末における制御情報の送信が、様々なＰＵＳＣＨフォーマットと複数の異なるサービスとに合わせて柔軟に適合され得る。一例では、ＰＵＳＣＨで伝送されるＵＣＩの数量は、異なる信頼性要件を有するＵＲＬＬＣとｅＭＢＢとで異なり得る。この柔軟性により、常に、例えば同じサイズに固定された固定パターンを用いられなければならないということが抑えられ得る。柔軟な環境で実際の必要に合わせて柔軟なパターンを適応され得る。ＵＲＬＬＣは例えば、高い信頼性要件を有し、したがって、制御情報の数量は非常に小さくほぼ０ですらある。ＵＲＬＬＣはＰＵＳＣＨを介して伝送され、ＵＲＬＬＣのペイロードは制御情報よりも高い信頼性要件を有する。ＰＵＳＣＨの容量はＰＵＣＣＨの容量より大きいかもしれないが、ＰＵＳＣＨのごく小さい部分がＵＣＩを伝送するために使用され得る。したがって、ＵＣＩの伝送に利用可能なリソースは非常に限られている。ＰＵＣＣＨはＵＣＩ伝送に指定されている。ただし、ＰＵＳＣＨはトランスポートチャネルであり、データ伝送に使用でき、ＵＣＩは、必要に応じてまたはオンデマンドで単にピギーバックまたは多重化され得る。ＰＵＣＣＨとＰＵＳＣＨとが時間領域で衝突する場合、ＵＣＩはＰＵＳＣＨにピギーバックされる必要がある。または言い換えると、ＰＵＣＣＨの容量が情報を搬送するのに十分な大きさではない場合、ＰＵＳＣＨの少なくとも一部分を、ＰＵＣＣＨで伝送されるべき情報の少なくとも一部分を搬送するために使用することができる。この搬送は、例えば一時的な過負荷状況が発生したときなど、単に一時的なものであってもよい。
【００１５】
ＰＵＳＣＨなどの許可されたリソース上で伝送することができる制御情報の数量は、上りデータの信頼性要件によって決定される。例えば、ＰＵＳＣＨの信頼性要件が１０−６の場合、制御情報の数量は０または１である。ＰＵＳＣＨの信頼性要件がより低く、例えば１０−１の場合、その数量はより高く、例えば１０である。搬送される制御情報は、変化する信頼性要件に合わせて柔軟に適合され得る。
【００１６】
ＮＲでは、ＵＣＩタイプは、少なくともＳＲ（Ｓｃｈｅｄｕｌｉｎｇ  Ｒｅｑｕｅｓｔ（スケジューリング要求））信号、ＨＡＲＱ−ＡＣＫ（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅ（ハイブリッド自動再送要求−肯定応答））信号およびＣＳＩ信号を含み得る。ＳＲ信号は、許可されたリソース上で情報を送信する目的で基地局（ＢＳ）から許可されたリソースを要求するためにユーザ機器（ＵＥ）によって使用され得る。ＨＡＲＱ−ＡＣＫ信号は、ＢＳによってＵＥに送信された情報の正しい受信を確認するためにＵＥによって使用される。
【００１７】
ＣＳＩ信号は一般に、ＵＥによって決定されたチャネルの品質を指示し、ＵＥからＢＳへの返信で報告される。特に、ＣＳＩ信号は２つのパートを含み得る。第１のパートはＣＳＩパート１と命名されており、第２のパートはＣＳＩパート２と命名されている。
【００１８】
さらに、２つのタイプのＣＳＩ信号が存在する。第１のタイプのＣＳＩ信号はタイプＩ  ＣＳＩフィードバックを表す。
【００１９】
タイプＩ  ＣＳＩ信号の第１のパート、すなわち、タイプＩ  ＣＳＩのパート１は、第１のコードワード情報についてのＲＩ（Ｒａｎｋ  Ｉｎｄｉｃａｔｏｒ（ランクインジケータ））、ＣＲＩ（ＣＳＩ−ＲＳ（Ｃｈａｎｎｅｌ  ｓｔａｔｅ  ｉｎｆｏｒｍａｔｉｏｎ  ｒｅｆｅｒｅｎｃｅ  ｓｉｇｎａｌ（チャネル状態情報参照信号））Ｒｅｓｏｕｒｃｅ  Ｉｎｄｉｃａｔｏｒ（リソースインジケータ））およびＣＱＩ（Ｃｈａｎｎｅｌ  Ｑｕａｌｉｔｙ  Ｉｎｄｉｃａｔｏｒ（チャネル品質インジケータ））を含む。ＲＩおよびＣＲＩは、ＵＥによって報告された場合にのみ提供される。ＲＩ信号は、ＭＩＭＯ（Ｍｕｌｔｉｐｌｅ  Ｉｎｐｕｔ  Ｍｕｌｔｉｐｌｅ  Ｏｕｔｐｕｔ（多入力多出力））システムのアンテナ間の相関および／または干渉の指示を提供する。ＲＩ値が高いほど干渉が低い。ＣＱＩ信号は、ＢＳとＵＥとの間のチャネルの品質に関する情報を提供する。
【００２０】
ＣＳＩ−ＲＳリソースインジケータは、ネットワーク機器またはｇＮＢが複数のＣＳＩ−ＲＳリソースで複数のＣＳＩ−ＲＳを送信する場合に使用される。そのような場合、ＵＥは、報告するのに最適なチャネル条件を有するＣＳＩ−ＲＳリソースを選択する。
【００２１】
タイプＩ  ＣＳＩ信号の第２の部分、すなわち、タイプＩ  ＣＳＩのパート２はＰＭＩを含み、ＲＩ＞４、すなわち、ＲＩ信号の値が値４より大きい場合に、第２のコードワードについてのＣＱＩ信号を含む。
【００２２】
第２のタイプのＣＳＩ信号はタイプＩＩ  ＣＳＩフィードバックを表す。
【００２３】
タイプＩＩ  ＣＳＩ信号の第１のパート、すなわち、タイプＩＩ  ＣＳＩ信号のパート１は、固定ペイロードサイズを有し、ＲＩ、ＣＱＩ、およびタイプＩＩ  ＣＳＩのレイヤ当たりの非ゼロ広帯域振幅係数の数の指示を含む。パート１のフィールド、すなわち、ＲＩ、ＣＱＩ、およびレイヤごとの非ゼロ広帯域振幅係数の数の指示は、別々に符号化される。
【００２４】
タイプＩＩ  ＣＳＩ信号の第２のパート、すなわち、タイプＩＩ  ＣＳＩ信号のパート２は、タイプＩＩ  ＣＳＩのＰＭＩを含む。パート１とパート２とは別々に符号化される。
【００２５】
構成済みグラントリソースは、ＢＳ（基地局）などのネットワーク機器によって許可されたリソースであり得る。例えば、ＢＳは、端末またはＵＥによって使用されるべきチャネルまたはチャネルの少なくとも一部を許可し得る。実質的にはＢＳがリソースを許可した後にのみ、端末またはＵＥはこのリソースを使用することができる。リソースは、ＵＥが、例えばＰＵＳＣＨ（物理上り共有チャネル）を介して、ＵＥからＢＳに情報を送信することを可能にする端末またはＵＥとＢＳとの間の上りチャネルとすることができる。
【００２６】
本明細書では、端末を示す。さらなる例において、伝送チャネル割り当て装置、伝送チャネル上の伝送を制御するための方法、プログラム要素およびコンピュータ可読媒体を説明する。
【００２７】
一般に、信号は、信号が搬送する情報に従って表され得る。
【００２８】
ピギーバックという用語は、信号を伝送もしくは多重化すること、または信号を別の信号に多重化することを記述し得る。例えば、ＰＵＳＣＨは通常、ペイロードデータを宛先に届けるためにＵＥからＢＳに送信されるべきペイロードデータに使用されるチャネルである。制御情報をペイロードデータに多重化することによって、通常はペイロードデータに使用されるチャネルが制御情報にも使用され得る。例えば、ＰＵＣＣＨなどの通常の制御チャネルにすべての制御情報を搬送するのに十分な容量がない場合、制御情報の少なくともパートまたは部分が、ＰＵＳＣＨなどのペイロードチャネル上で送られる。そのような容量の制限は、ＰＵＣＣＨとＰＵＳＣＨとが時間領域において完全にまたは部分的にオーバーラップする場合に発生し得る。そうした状況では、ＰＵＣＣＨで搬送されることになっているＵＣＩは、ＰＵＳＣＨにピギーバックまたはシフトされ、ＰＵＣＣＨは伝送されない。ペイロードチャネルの事前定義されたＱｏＳ（Ｑｕａｌｉｔｙ  ｏｆ  Ｓｅｒｖｉｃｅ（サービス品質））をなおも保証するために、ペイロードチャネルへの制御情報のアクセスは制御および監視され得る。ペイロードチャネルの過剰な制御情報が送信されることになる場合、ペイロード容量のパートが制御情報によって使用されるので、ペイロードチャネルの全ペイロード帯域幅、全ペイロードレートおよび／または全ペイロード容量が低減され得る。制御情報によるペイロードチャネルの過負荷を防止するために、ペイロードチャネル上で伝送されることが意図される制御情報のパートまたは部分のみが伝送され、制御情報のその他のパートまたはその他の部分は廃棄され、かつ／または伝送を阻止される。
【００２９】
本発明の一態様によれば、端末またはＵＥおよびネットワーク機器、例えばＢＳまたはｇＮｏｄｅＢが提供される。
【００３０】
本発明の主題は独立請求項に記載されている。本発明のさらなる例示的実施形態の特徴は従属請求項に記載されている。
【００３１】
本発明の一態様によれば、構成済みグラントリソースを用いて構成される、端末またはＵＥが提供される。本端末またはＵＥは、構成済みグラントリソースにおいて制限された制御情報を送信するように適合される。
【００３２】
言い換えると、伝送チャネルなどのリソースが端末に割り振られる。端末は、制御情報を受信し、制御情報のどの部分を伝送チャネル上で伝送できるかを判断し得る。
【００３３】
一例では実質的に、ＵＲＬＬＣに関するＵＣＩ情報のみを構成済みグラントリソースにピギーバックすることができ、それ以外のＵＣＩ情報は廃棄され得る。別の例では実質的に、ＨＡＲＱ−ＡＣＫのみを構成済みグラントリソースにピギーバックすることができる。
【００３４】
本発明の一態様によれば、構成済みグラントリソースを用いて構成される端末は、プロセッサと送受信機とを含む。プロセッサは、端末のために構成された複数のＵＣＩタイプの中から構成済みグラントリソース上で送信および／またはピギーバックされる必要がある少なくとも１つのＵＣＩタイプを決定するように構成され、送受信機は、構成済みグラントリソースを使用して少なくとも１つのＵＣＩタイプの制御情報を送信するように構成される。
【００３５】
端末は、複数のＵＣＩ情報を受信し、どのパートまたはどの部分を端末が伝送チャネルなどのグラントリソース上で伝送し得るかを判断し得る。どの部分が伝送され得るかに関する判断は、情報タイプおよび／または情報サイズに基づくものであり得る。
【００３６】
本発明の一態様によれば、少なくとも１つのＵＣＩタイプはＨＡＲＱ−ＡＣＫを指示する。
【００３７】
本発明の一態様によれば、少なくとも１つのＵＣＩタイプの優先度は、複数のＵＣＩタイプのその他ＵＣＩタイプの優先度よりも高い。
【００３８】
言い換えると、伝送されるべき複数のＵＣＩタイプは異なる優先度レベルを有する。この優先度レベルに基づき、端末は、伝送されるべき複数のＵＣＩ情報ＩＤのどの部分かを判断する。
【００３９】
本発明の別の態様によれば、複数のＵＣＩタイプは、ＨＡＲＱ−ＡＣＫ、ＣＳＩパート１、ＣＳＩパート２およびＳＲのうちの少なくとも１つを含む。
【００４０】
一例では、ＵＣＩタイプは、ＨＡＲＱ−ＡＣＫ、ＣＳＩパート１、ＣＳＩパート２およびＳＲを含む。
【００４１】
本発明の別の態様によれば、少なくとも１つのＵＣＩタイプはＵＲＬＬＣに関するＵＣＩを指示する。
【００４２】
本発明のさらに別の態様によれば、少なくとも１つのＵＣＩタイプは、ＵＲＬＬＣのＨＡＲＱ−ＡＣＫビットを指示する。
【００４３】
本発明の別の態様によれば、複数のＵＣＩタイプは、ＵＲＬＬＣのＵＣＩおよびｅＭＢＢのＵＣＩのうちの少なくとも１つを含む。
【００４４】
本発明の別の態様によれば、プロセッサは、決定された少なくとも１つのＵＣＩタイプを除く複数のＵＣＩタイプ中のその他ＵＣＩタイプの制御情報を廃棄するようにさらに構成される。
【００４５】
端末は、複数のＵＣＩタイプの中から伝送されるべきＵＣＩ情報のタイプを決定し得る。伝送されないと決定された複数のＵＣＩタイプのＵＣＩタイプを除外することができる。
【００４６】
本発明の別の態様によれば、送受信機は、ＰＵＳＣＨ上で構成済みグラントリソースを使用して決定された少なくとも１つのＵＣＩタイプの制御情報を送信するように構成される。
【００４７】
本発明の別の態様によれば、構成済みグラントリソースを用いて構成される端末が提供される。本端末は、プロセッサと送受信機とを含む。プロセッサは、ＵＣＩ情報を伝送するために必要なリソース要素の数と、ネットワーク機器によって構成された構成済みグラントリソース内のリソース要素の数とを決定するように構成される。プロセッサは、ＵＣＩ情報を伝送するために必要なリソース要素の数がネットワーク機器によって構成されたリソース要素の数より大きい場合、送受信機に、ネットワーク機器によって構成された構成済みグラントリソース内のリソース要素を使用してＵＣＩ情報の一部分を送信するよう命令するように構成される。
【００４８】
言い換えると、端末は、ＵＣＩ情報を搬送するように構成されたリソース要素を満たすように適合され得る。すべての利用可能なリソース要素がＵＣＩ情報で満たされた場合、残りのＵＣＩ情報は廃棄される。
【００４９】
本発明の別の態様によれば、ＵＣＩ情報の部分は、ＵＣＩの一部のビットを指示する。
【００５０】
リソースブロックのサイズはビット単位であり得るので、ＵＣＩ情報の特定の数のビットを伝送することができる。ＵＣＩ情報の過剰なビットは廃棄され得る。
【００５１】
本発明の別の態様によれば、プロセッサは、ネットワーク機器によって構成された構成済みグラントリソース内のリソース要素によって伝送できるＵＣＩ情報の部分を除くＵＣＩ情報のその他の部分を廃棄するようにさらに構成される。
【００５２】
情報を廃棄することによって、伝送されるべき情報の選択が行われる。
【００５３】
本発明の一態様によれば、ＵＣＩ情報の部分はＨＡＲＱ−ＡＣＫである。
【００５４】
本発明の一態様によれば、ＵＣＩ情報の部分は、ＵＲＬＬＣのＨＡＲＱ−ＡＣＫビットである。
【００５５】
本発明の一態様によれば、送受信機は、ＰＵＳＣＨ上のネットワーク機器によって構成された構成済みグラントリソース内のリソース要素を使用してＵＣＩ情報の部分を送信するように構成される。
【００５６】
本発明の別の態様によれば、端末は、伝送チャネル割り当て装置を含む。伝送チャネル割り当て装置は伝送チャネル制御装置を含み、伝送チャネル制御装置は、制限された制御情報を構成済みグラントリソースにおいてピギーバックまたは伝送するように適合される。
【００５７】
本発明のさらに別の態様によれば、制限された制御情報を構成済みグラントリソースにおいてピギーバックまたは伝送することを含む、伝送チャネル上の伝送を制御するための方法が提供される。
【００５８】
本発明の別の態様によれば、プロセッサによって実行されると、伝送チャネル上の伝送を制御するための方法を実行するように適合されたプログラム要素が提供される。
【００５９】
本発明の別の態様によれば、プロセッサによって実行されると、伝送チャネル上の伝送を制御するための方法を実行するように適合されたプログラムコードを含むコンピュータ可読媒体が提供される。
【００６０】
コンピュータ可読媒体は、フロッピーディスク、ハードディスク、ＵＳＢ（Ｕｎｉｖｅｒｓａｌ  Ｓｅｒｉａｌ  Ｂｕｓ（ユニバーサル・シリアル・バス））記憶装置、ＲＡＭ（Ｒａｎｄｏｍ  Ａｃｃｅｓｓ  Ｍｅｍｏｒｙ（ランダム・アクセス・メモリ））、ＲＯＭ（ｒｅａｄ  ｏｎｌｙ  ｍｅｍｏｒｙ（読取り専用メモリ））またはＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ（消去可能書込み可能読取り専用メモリ））であり得る。コンピュータ可読媒体はまた、プログラムコードのダウンロードを可能とし得る、インターネットなどのデータ通信ネットワークでもあり得る。
【００６１】
本発明の一態様による第１の実施形態を示すことができる。本実施形態によれば、制限されたＵＣＩタイプを構成済みグラントリソースにピギーバックすることができ、それ以外のＵＣＩタイプを廃棄することができる。制限されたＵＣＩタイプを、他のパラメータによって構成もしくは指示するか、または仕様で定義することができる。
【００６２】
言い換えると、制限された１つまたは複数のＵＣＩタイプを、リソースが構成および許可された後でそのリソースにおいてピギーバックまたは伝送することができる。例えば、ＰＵＳＣＨ上でデータを伝送するために、ＵＥまたは端末はネットワーク機器またはＢＳにそのような伝送を許可するよう要求する。ＢＳはＵＥに、伝送に必要なチャネルの構成に関して知らせ、リソースを許可する、すなわち、ＵＥに、ＢＳが情報を受信する用意ができていることを知らせる。ＵＣＩタイプの制限は、過剰なＵＣＩ情報によりチャネルの容量が低減し得ることを防止するために事前定義された規則に従ってなされ得る。そうではなく、過剰なＵＣＩ情報がチャネル上で伝送されることになる場合に、実質的に制限された１つまたは複数のＵＣＩタイプのみが伝送されてもよく、その他の１つまたは複数のＵＣＩタイプを廃棄することができる。多重化できる１つもしくは複数の制限されたＵＣＩタイプを、事前定義し、構成し、もしくは他のパラメータによって指示することもでき、またはそれらを、規格ＴＳ３８．２１４などの仕様で定義することもできる。ＵＣＩ信号は、全ＵＣＩ情報のサブグループを形成する複数のＵＣＩタイプを含み得る。ＵＣＩ情報を制限された１つまたは複数のＵＣＩタイプに制限することによって、ペイロードチャネル上で伝送される制御情報の数量が制御可能となり得る。
【００６３】
例えば、リソースが構成および許可された後のリソースにＨＡＲＱ−ＡＣＫだけをピギーバックすることができ、ＵＣＩタイプＨＡＲＱ−ＡＣＫ以外のＵＣＩタイプは廃棄されなければならないと事前定義、構成、または指示され得る。この場合、例えばＵＣＩタイプＨＡＲＱ−ＡＣＫを有するすべての制御情報は通されるが、ＵＣＩタイプＣＳＩなどの他のタイプは廃棄されることになる。
【００６４】
伝送を許可される１つまたは複数の制限されたＵＣＩタイプ、例えばＨＡＲＱ−ＡＣＫのみが、少なくとも１つの上位層パラメータによって構成される。一例では、上位層は、パラメータによって、および／または情報要素（ＩＥ）によって、どの１つまたは複数のＵＣＩタイプが伝送を許可されるかを指示し得る。例えば、許容される１つまたは複数のＵＣＩタイプを指定するために、１つもしくは複数のＵＣＩタイプは、リソースのグラント手順の間に構成され、ＰＵＳＣＨにおいて事前定義され、かつ／またはＵＣＩタイプのベータオフセットとして構成される。ベータオフセットは、制御情報またはＵＣＩ情報とトランスポートチャネルで伝送されるデータとの間のＭＣＳ（Ｍｏｄｕｌａｔｉｏｎ  Ｃｏｄｉｎｇ  Ｓｃｈｅｍｅ（変調符号化方式））オフセットであり得る。ベータオフセットは、ＵＥが、ＰＵＳＣＨにおいてＨＡＲＱ−ＡＣＫ情報を多重化し、ＣＳＩ報告を多重化するために必要なリソースの数を決定するために定義される。ベータオフセットがゼロである（ベータオフセット＝０）場合、ＵＣＩ情報をトランスポートチャネル、例えばＰＵＳＣＨに多重化することができない。別の例では、制限された１つまたは複数のＵＣＩタイプは仕様で定義され、例えば、仕様において、ＨＡＲＱ−ＡＣＫだけを構成済みグラントリソースにおいてピギーバックまたは伝送できると定義される。リソースはネットワーク機器によって許可され得る。
【００６５】
同じ原理による別の例では、許可または許容される１つまたは複数のＵＣＩタイプはＨＡＲＱ−ＡＣＫおよびＳＲのみに制限され得る。この場合、実質的に、タイプＨＡＲＱ−ＡＣＫおよびタイプＳＲの制御情報のみを構成済みグラントリソースにピギーバックすることができ、タイプＣＳＩなどの他タイプの制御情報は廃棄され得る。
【００６６】
やはり、許容される制御情報のタイプは、上位層パラメータによって、例えば、構成済みグラントにおけるＵＣＩタイプ、ＰＵＳＣＨにおけるＵＣＩタイプおよび／またはＵＣＩタイプのベータオフセットによって構成され、かつ／または仕様によって固定して事前決定される。
【００６７】
さらに別の例では、伝送を許容される制御情報は、同じタイプの制御情報内の情報の特定部分に基づいて定義され得る。例えば、タイプＩおよび／またはタイプＩＩ  ＣＳＩ情報は２つの事前定義パート、パート１およびパート２を有し得る。そうした場合には、制御情報のパート、部分および／またはサブグループのみがペイロードチャネル上での伝送を許可され、その他のパートは廃棄され得ることが、上位層パラメータによって構成され、かつ／または仕様で事前定義され得る。２つのパートを有するタイプＩ  ＣＳＩ制御情報が提供される例では、パート１を構成済みグラントリソースにピギーバックすることができ、ＣＳＩパート２を廃棄することができる。よって、例えば、ＳＲ、ＨＡＲＱ−ＡＣＫおよびＣＳＩパート１のみが伝送を許可され、他のすべての制御情報は廃棄され伝送されないと事前設定することが可能であり得る。
【００６８】
どの情報が伝送を許可されるかを指定する代わりに、どの情報が廃棄されるべきかを指定することも可能である。したがって、タイプＩ  ＣＳＩパート１を許可する代わりに、またはこれに加えて、タイプＩ  ＣＳＩパート２情報が廃棄され得ると指示することも可能である。
【００６９】
この例では、ＰＵＳＣＨを使用したＣＳＩ報告が実施され得る。ＰＵＳＣＨ上のＣＳＩ報告を、ＰＵＳＣＨ上の上りデータで多重化することができる。ＰＵＳＣＨ上のタイプＩおよびタイプＩＩのＣＳＩフィードバックでは、ＣＳＩ報告は２つのパートを含む。パート１はその全体がパート２の前に伝送されるものとされ、パート２内の情報ビット数を特定するために使用される。ＰＵＳＣＨ上のＣＳＩ報告が２つのパートを含む場合、ＵＥはパート２  ＣＳＩの一部分を除外し得る。
【００７０】
本発明の一態様による第２の実施形態を示すことができる。この例では、高優先度の制御情報またはＵＣＩ情報を構成済みグラントリソースにピギーバックすることができ、他の制御情報は廃棄され得る。
【００７１】
優先度は、許容される情報のタイプの構成と同じ原理を使用して構成され得る。よって、高優先度の制御情報および／またはＵＣＩは、他のパラメータによって構成もしくは指示されるか、または仕様で定義され得る。
【００７２】
優先度はまた、メッセージタイプに基づいて定義されてもよい。例えば、特殊なメッセージタイプに関する制御情報、例えばＵＲＬＬＣ（超高信頼低遅延通信）に関するＵＣＩのみが、構成済みグラントリソースにおいてピギーバックおよび伝送され得る。他のメッセージタイプの情報は廃棄されてもよく、伝送されない。
【００７３】
言い換えると、どの制御情報が伝送されるかおよびどの情報が廃棄されるかの判断は、優先度および／またはメッセージタイプに基づいてなされ得る。例えば、メッセージタイプは、特定の優先度レベルに関連したものであり得る。高優先度のＵＣＩ情報を構成済みグラントリソースにピギーバックすることができ、そうではない低優先度の情報を廃棄することができる。高優先度のＵＣＩを、他のパラメータによって構成もしくは指示するか、または仕様で定義することができる。
【００７４】
ＵＲＬＬＣに関するＵＣＩの例では、制御情報は、高優先度トラフィックを指示するメッセージタイプ上で伝送される。この例では、高優先度トラフィック、例えばＵＲＬＬＣに関するＵＣＩ情報のみを構成済みグラントリソースにピギーバックすることができ、低優先度トラフィック、例えばｅＭＢＢ（高度モバイルブロードバンド）に関するＵＣＩを廃棄することができる。ＵＲＬＬＣトラフィックは、低優先度トラフィックとして指示されるｅＭＢＢトラフィックよりも優先度の高いトラフィックとして指示され得る。
【００７５】
高優先度ＵＣＩ、例えばＵＲＬＬＣに関するＵＣＩは、上位層パラメータ、例えば、構成済みグラントにおけるＵＣＩタイプ、ＰＵＳＣＨにおけるＵＣＩタイプおよび／またはＵＣＩタイプのベータオフセットによって構成される。
【００７６】
さらに、パラメータを、ＵＲＬＬＣとｅＭＢＢとに別々に、もしくは共通して構成することもでき、または異なる物理パラメータに対応するＵＣＩ、例えば、ＭＣＳ−Ｃ−ＲＮＴＩおよびＣ−ＲＮＴＩによってスクランブルされたＤＬグラントによってスケジュールされたＰＤＳＣＨのためのＨＡＲＱ−ＡＣＫを別々に、もしくは共通して構成することもできる。
【００７７】
制限されたＵＣＩタイプの選択についての制限は仕様で定義され得る。よって、一例では、仕様は、特定の優先度を有するメッセージに関する制御情報のみ、例えばＵＲＬＬＣに関するＵＣＩのみを、構成済みグラントリソースにおいてピギーバック、多重化または伝送することができると定義し得る。別の例では、仕様において、特定のグラント情報によってトリガされる制御情報のみ、例えば、ＭＣＳ−Ｃ−ＲＮＴＩによってスクランブルされたＤＬグラントによってトリガされたＵＣＩのみを、構成済みグラントリソースにおいてピギーバックまたは伝送することができると定義され得る。
【００７８】
パラメータが仕様で指定される場合、このパラメータは伝送チャネル割り当て装置のレジスタに固定され得る。パラメータが上位層によって指示される場合、パラメータは、伝送チャネル割り当て装置内のインターフェースを指定するパラメータによって、例えば情報要素（ＩＥ）によって提供され得る。
【００７９】
一例では、ＣＳＩ情報の異なるパートが異なる優先度を有し得る。この場合、高優先度のＣＳＩを構成済みグラントリソースにピギーバックすることができ、低優先度のＣＳＩを廃棄することができる。ＣＳＩ優先度を上位層パラメータ、例えばＣＳＩ優先度によって構成することができる。別の例では、ＣＳＩ優先度は仕様で定義されてもよく、例えば、優先度順は広帯域ＣＳＩ＞サブバンドＣＳＩであり、かつ／または、ｎ＜ｍの場合、ＣＳＩ報告ｎ＞ＣＳＩ報告ｍである。言い換えると、広帯域ＣＳＩの優先度はサブバンドＣＳＩの優先度より高く、かつ／またはＣＳＩ報告ｎの優先度はＣＳＩ報告ｍの優先度より高く、ｎおよびｍは整数であり、ｎはｍより小さい。
【００８０】
一例によれば、パート２ＣＳＩの除外は優先度表に従った優先度順によるものであり、例えば、ＮＲｅｐなどの数が、ＰＵＳＣＨ上で搬送されるように構成されたＣＳＩ報告の数である。そのような表で異なる優先度レベルを定義でき、よって、優先度情報は表の形態で提供され得る。
【００８１】
本発明のさらに別の態様による第３の実施形態を示すことができる。本実施形態では、制限された数のＵＣＩビットを構成済みグラントリソースにピギーバックすることができ、残りのＵＣＩビットを廃棄することができる。制限された数のＵＣＩビットを、他のパラメータによって構成もしくは指示するか、または仕様で定義することができる。固定されたリソース要素数または制限された数のＵＣＩビットに対応するリソース要素がピギーバックに使用されるか、または最大Ｋ個のＵＣＩビットに対応する最大Ｍ個のリソース要素がピギーバックに使用される。例えば、最大Ｎ個のＵＣＩビットを構成済みグラントリソースにピギーバックすることができ、残りのＵＣＩビットを廃棄することができる。例えば、Ｍ＝１０個のＵＣＩビットがあるが、５個のＵＣＩビットのみをピギーバックすることができ、その場合、５個のＵＣＩビットがピギーバックであり、その他（５個のＵＣＩビット）は廃棄される。
【００８２】
言い換えると、伝送されるべき情報の選択はビットレベルでなされ得る。一例では、伝送できるビット数が定義され得る。この事前定義のビット数を超えるビットは廃棄されてもよく、伝送されない。
【００８３】
さらなる例では、Ｎがビットの数であってもよく、この数は上位層パラメータによって構成される。さらにＮは、構成済みグラントリソースと動的リソースとに別々に、または共通して構成され得る。動的リソースとは、ＵＬグラントによって動的にスケジュールされるチャネルなどのリソースであり得る。ＵＬグラントは、ｅＮｏｄｅＢなどのネットワーク機器からＵＥに送信され、ＵＥにデータ送信を開始するよう知らせ、かつ／またはリソースが許可されており、情報を伝送する用意ができていることを指示する特定の物理制御チャネル情報である。構成済みグラントリソースは、準静的にまたは半永続的に構成され得る。
【００８４】
別の例では、事前定義された数のリソース要素がピギーバックに使用され、よって搬送可能な制御情報を制限する。さらに別の例では、制限された数のＵＣＩビットに対応する数のリソース要素がピギーバックに使用される。さらなる例では、最大Ｋ個のＵＣＩビットに対応する最大Ｍ個のリソース要素がピギーバックに使用される。言い換えると、搬送可能な制御情報は最大ビット数に、おそらくはＫビットに制限される。この搬送可能なビットの最大数Ｋは、これらＫビットを搬送するのに必要なリソース要素の最大数Ｍに対応する。よって、搬送可能なビットの最大数を間接的に設定することにより搬送可能なリソース要素（ＲＥ）の数が設定される。
【００８５】
本発明のさらに別の態様による第４の実施形態を示すことができる。本実施形態では、構成済みグラントリソースにおけるピギーバックＵＣＩに使用されるリソース要素の数は制限されるはずである。ＵＣＩビットが上記ＲＥの容量より大きい場合、残りのＵＣＩビットは廃棄される。構成済みグラントリソースにおけるピギーバックＵＣＩに使用されるリソース要素の数を、他のパラメータによって構成もしくは指示するか、または仕様で定義することができる。例えば、４個のリソース要素がピギーバックＵＣＩに使用される。ＵＣＩが４個のリソース要素を必要とする場合には、４個のリソース要素が使用される。ＵＣＩが３個のリソース要素を必要とする場合には、３個のリソース要素が使用される。ＵＣＩが５個のリソース要素を必要とする場合には、４個のリソース要素がピギーバックＵＣＩに使用され、次いで残りのＵＣＩビットは廃棄されるはずである。例えば、４個のリソース要素がピギーバックＵＣＩに使用される。ＵＣＩが４個のリソース要素を必要とする場合には、４個のリソース要素が使用される。ＵＣＩが３個のリソース要素を必要とする場合には、４個のリソース要素が使用され、その場合１個のリソース要素は使用されるかまたは空白とされ得る。ＵＣＩが５個のリソース要素を必要とする場合には、４個のリソース要素がピギーバックＵＣＩに使用され、次いで残りのＵＣＩビットは廃棄されるはずである。
【００８６】
言い換えると、伝送チャネルで制御情報を搬送するために使用できるリソース要素の数は、制御情報に使用できる伝送チャネル内のＲＥの数を制限することによって制限される。制御情報に使用されるビットの数、例えばＵＣＩビットの数が使用可能なＲＥの容量を超える場合、制御情報の過剰なビット、例えばＵＣＩビットは廃棄され、伝送されない。
【００８７】
ピギーバック制御情報、ピギーバックＵＣＩおよび／または搬送可能な制御情報に使用されるリソース要素の容量は、構成済み変調および符号レートによって、または容量の上限によって定義され、例えば、データと同じ変調だが、符号レート＝１、または最高の変調および符号レート＝１である。ＵＣＩのリソース要素の容量は、ＵＣＩのＭＣＳ（変調符号化方式）に依存する。符号レートは、情報ビットの数をチャネル符号化ビットの数で割ったものであり（符号レート＝情報ビット数／チャネル符号化ビット数）、一例では、符号レートは、ＵＣＩビットの数をＵＣＩ情報に利用可能なリソース要素の数と変調次数を掛けたもので割ったものである（ＵＣＩビット数／（ＵＣＩのためのリソース要素の数＊変調次数））。変調次数は、変調方法にマップすることができるパラメータである。一例では、ＱＰＳＫの変調次数は２であり、１６ＱＡＭの変調次数は４であり、６４ＱＡＭの変調次数は６であり、２５６ＱＡＭの変調次数は８である。
【００８８】
リソース要素の数の指示は、上述したのと同じ原理を使用することができる。よって、構成済みグラントリソースにおけるピギーバックＵＣＩに使用されるリソース要素の数を、他のパラメータによって構成もしくは指示するか、または仕様で定義することができる。
【００８９】
本発明の一態様による第５の実施形態を示すことができる。この例では、上記の実施形態の一部または全部を組み合わせることができる。例えば、ＵＲＬＬＣのＨＡＲＱ−ＡＣＫビットのみを構成済みグラントリソースにピギーバックすることができ、それ以外を廃棄することができる。例えば、ＨＡＲＱ−ＡＣＫビットのみを構成済みグラントリソース内の最大Ｎ個のリソース要素においてピギーバックまたは伝送することができ、それ以外を廃棄することができる。Ｎは整数である。
【００９０】
言い換えると、例えば、ＵＲＬＬＣタイプのトラフィックで搬送される制御情報ビット、例えばＨＡＲＱ−ＡＣＫビットのみを構成済みグラントリソースにピギーバックすることができる。よって、ＵＲＬＬＣタイプのトラフィックのための制御情報入力インターフェース上で提供される制御情報のみが伝送チャネルインターフェースを介して転送される。他の構成は、ＵＲＬＬＣ以外のタイプのトラフィックとして提供されるＨＡＲＱ−ＡＣＫでさえも、廃棄、阻止、または除外される。
【００９１】
一例では、ＨＡＲＱ−ＡＣＫビットのみを構成済みグラントリソース内の最大Ｎ個のリソース要素にピギーバックすることができ、他のすべての制御情報は廃棄される。Ｎは整数である。別の例では、高優先度のＵＣＩビットを構成済みグラントリソース内の最大Ｎ個のリソース要素にピギーバックすることがでる。高優先度のＵＣＩビットがＮ個のリソース要素にピギーバックされた後、低優先度のＵＣＩビットは廃棄される。Ｎは整数である。高優先度のＵＣＩ情報または制御情報は、ＨＡＲＱ−ＡＣＫ制御情報、ＳＲ制御情報、ＣＳＩパート１制御情報、およびＣＳＩパート２制御情報からなる制御情報または構成情報のグループより選択される少なくとも１つの構成である。
【００９２】
本発明の一態様による第６の実施形態を示すことができる。この例では、上記の構成を、異なるタイプの構成済みグラントリソース、または異なる構成済みグラントリソースによって構成することができる。
【００９３】
言い換えると、構成情報または制御情報を搬送し、よって、全伝送チャネルの一部を形成する複数の伝送サブチャネルを形成するための複数の伝送チャネルを構成することが可能である。そのような一例では、制御情報タイプごとに、別個の伝送チャネルが構成および許可され得る。一例では、ＵＣＩ、ＨＡＲＱ−ＡＣＫ、タイプＩ  ＣＳＩパート１、タイプＩ  ＣＳＩパート２、タイプＩＩ  ＣＳＩパート１および／またはタイプＩＩ  ＣＳＩパート２の制御情報に別々の伝送チャネルがある。
【００９４】
要約すると、本開示は、必要なＵＣＩ情報を伝送し、信頼性を満たす方法を提供する。ＵＣＩリソース要素が制限される場合には、情報を伝送するのに十分なデータ伝送のためのリソースを提供でき、データ伝送に使用される符号レートは特定の信頼性要件を達成するのに十分な低さに保持される。
【００９５】
一例では、ＵＣＩピギーバック方法が提供される。
【００９６】
本発明の一態様によれば、伝送チャネル割り当て装置またはプロセッサが提供され、制限された制御情報は、制限された上り制御情報（ＵＣＩ）タイプである。
【００９７】
本発明の一態様によれば、制御情報の制限は、制限された制御情報以外の制御情報を廃棄することによってなされる。
【００９８】
一例では、制御情報は符号レートを適応させることによって制限される。別の例では、制御情報は変調を適応させることによって制限される。例えば、符号レートは、事前定義の信頼性要件を満たすように制限される。
【００９９】
本発明のさらに別の態様によれば、制限された制御情報についての制限を、優先度に基づいて、制御情報の一部分に基づいて、ビット数に基づいて、リソース要素、例えばＲＥのサイズに基づいて、または制限された数のリソース要素を提供することによって、他のパラメータで構成または指示し、仕様で定義することができる。
【０１００】
本発明のさらに別の態様によれば、伝送チャネル制御装置は、伝送チャネルを接続するための、例えばＰＵＳＣＨを接続するための伝送チャネルインターフェースと、伝送チャネルインターフェースを介して伝送されるべき制御情報を受信するための制御情報入力インターフェースと、伝送チャネルインターフェースおよび／または伝送チャネルを許可されたリソースとして構成するための情報を受信するためのグラントインターフェースとをさらに含む。
【０１０１】
伝送チャネル制御装置は、伝送チャネルインターフェースおよび／または伝送チャネル内が、許可されたリソースとして構成されている場合、伝送チャネルインターフェースおよび／または伝送チャネルにおいて制御情報入力インターフェース上で受信された制御情報の選択をピギーバック、多重化および／または伝送するように適合される。
【０１０２】
伝送チャネルインターフェースおよび／または伝送チャネルを構成することは、制御情報に伝送チャネルのパートまたは部分を確保するかまたは割り振ることを含み得る。
【０１０３】
一例の伝送チャネル割り当て装置は、伝送チャネルの構成されたパートに提供される制御情報が事前定義条件を超えないようにする符号化処理チェーンの一例であり得る。
【０１０４】
本発明の別の態様によれば、制御情報の選択は、受信された制御情報の少なくともパートを廃棄することによってなされる。
【０１０５】
本発明のさらに別の態様によれば、受信された制御情報の少なくともパートを廃棄することは、フィルタおよび／またはレート制御装置、特に符号化レート制御装置によってなされる。一例では、フィルタは式を適用し得る。
【０１０６】
本発明の別の態様によれば、制御情報の選択は、グラントリソース、制御情報のタイプ、優先度、事前定義基準、パラメータ、リソース要素、特にリソース要素のサイズ、上位層によって構成された基準からなる選択基準のグループの少なくとも１つの選択基準に基づいてなされる。
【０１０７】
本発明の別の態様によれば、制御情報は、ＵＣＩ制御情報、ＵＲＬＬＣ制御情報、特にＵＲＬＬＣトラフィックとマークされた制御情報、受信ＰＤＳＣＨデータについてのＨＡＲＱ−ＡＣＫ制御情報、受信ＰＤＳＣＨデータについてのＨＡＲＱ−ＮＡＣＫ制御情報、チャネル品質インジケータ（ＣＱＩ）、プリコーディング行列インジケータ（ＰＭＩ）、プリコーディング・タイプ・インジケータ（ＰＴＩ）、ランク指示（ＲＩ）である。
【０１０８】
本発明の別の態様によれば、リソースは、ＵＬグラント信号によって、かつ／またはＤＣＩ０信号によって許可される。
【０１０９】
本発明の別の態様によれば、伝送チャネル上の制御情報の伝送を制御するための方法は、制限された制御情報以外の制御情報を廃棄することを含む。
【０１１０】
本発明のさらに別の態様によれば、伝送チャネル上の制御情報の伝送を制御するための方法は、制御情報入力インターフェース上で伝送チャネルインターフェースを介して伝送されるべき制御情報を受信することを含む。本方法は、グラントインターフェース上で、伝送チャネルインターフェースおよび／または伝送チャネルを許可されたリソースとして構成するための情報を受信することも含む。加えて本方法は、伝送チャネルインターフェースおよび／または伝送チャネル内が許可されたリソースとして構成される場合、伝送チャネルインターフェースおよび／または伝送チャネルにおいて制御情報入力インターフェース上で受信された制御情報の選択をピギーバック、多重化および／または伝送することも含む。
【０１１１】
本発明のさらに別の態様によれば、本方法は、受信制御情報の少なくともパートを廃棄することによって制御情報を選択することをさらに含む。
【０１１２】
本発明の別の態様によれば、ネットワーク機器が提供される。本ネットワーク機器は、制限された制御情報を構成済みグラントリソースにおいて送信するよう端末を構成するように適合される。
【０１１３】
一例では、本ネットワーク機器は、端末を、構成済みグラントリソースを用いて構成するように適合される。言い換えると、本ネットワーク機器は、端末に、伝送チャネルなどのリソースを、いくつかの制限、規則またはフィルタを有するように構成する命令を送信するように適合され得る。
【０１１４】
本発明の別の態様によれば、本ネットワーク機器は、ネットワーク機器プロセッサとネットワーク機器送受信機とを含み、ネットワーク機器プロセッサは、制限された制御情報を構成済みグラントリソースにおいて送信するよう端末を構成する命令を生成するように適合される。ネットワーク機器送受信機は、命令を端末に送信するように適合される。
【０１１５】
一例では、プロセッサは、リソースを許可するための命令を提供するようにも適合され得る。
【０１１６】
本発明の態様は異なる主題に関して記載されていることに留意されたい。特に、いくつかの態様は装置タイプの請求項に関して記載されており、他の態様は方法タイプの請求項に関して記載されている。しかしながら、当業者は、上記および以下の説明から、特に記載されない限り、１つのタイプの主題に属する特徴間の任意の組み合わせに加えて、異なるタイプの主題に関する特徴間の任意の組み合わせも、本明細書により開示されるものとみなされることを推測するであろう。特に、装置タイプの請求項に関する特徴と方法タイプの請求項に関する特徴との間の組み合わせが開示されるものとみなされる。また、装置タイプの請求項の態様は相互に交換可能である。
【０１１７】
以下の図の説明において本発明のさらなる実施形態を説明する。以下で本発明を、実施形態によって図面を参照して詳細に説明する。
【図面の簡単な説明】
【０１１８】
【図１】本発明の一例示的実施形態による伝送チャネル割り当て装置を有するＵＥを備えた通信システムを示す図である。
【図２】伝送チャネル上の制御情報の伝送を制御するための方法を示す流れ図である。
【発明を実施するための形態】
【０１１９】
以下において、同じ参照番号は同じかまたは等価の機能を有する部分について使用される。構成要素の方向に関連してなされる記述は、図面に示された位置に対してなされており、当然ながら適用の実際の位置で異なり得る。
【０１２０】
図１に、本発明の一例示的実施形態によるプロセッサ１０３または伝送チャネル割り当て装置１０３を有する端末１０２またはＵＥ１０２を備えた通信システム１００を示す。端末１０２またはＵＥ１０２は、接続１１０を介してネットワーク機器、例えば基地局（ＢＳ）１０１と通信関係にある。接続１１０は、ＵＥ１０２とＢＳ１０１との間で確立されたすべてのリンクおよび／またはチャネルを含み得る。接続１１０は、ＤＬ制御チャネル１１０’および伝送チャネル１１０’’を含む。伝送チャネル１１０’’は、上りチャネルであり、すなわち、ＵＥ１０２からＢＳ１０１に向けられており、下り制御チャネル１１０’は、ＢＳ１０１からＵＥ１０２に向けられている。伝送チャネル１１０’’は、ＰＵＳＣＨチャネル１１０’’であり得る。
【０１２１】
すべてのチャネルはアンテナ１０８を介して送信および／または受信される。送受信機１０４または伝送チャネル制御装置１０４がアンテナ１０８上での送信を制御する。
【０１２２】
伝送チャネル１１０’’は、ＵＥ１０２からＢＳ１０１に送信されるペイロードに使用される。ただし、伝送チャネル１１０’’の一部分を、ＤＬ制御チャネル１１０’を介して送信された情報を介してＢＳ１０１が、ＵＬ制御サブチャネルまたはＵＬ構成サブチャネルとして構成することができる。この制御チャネルまたは構成チャネル上で、ＵＥ１０２からＢＳ１０１に制御情報が送信され得る。このために、ＢＳは、伝送チャネル１１０’’への、特にＵＬ制御サブチャネル１１０’’’または構成サブチャネル１１０’’’へのアクセスを許可する必要もある。
【０１２３】
構成情報または制御情報は、ＵＣＩ制御情報、ＵＲＬＬＣ制御情報、特にＵＲＬＬＣトラフィックとマークされた制御情報、受信ＰＤＳＣＨデータについてのＨＡＲＱ−ＡＣＫ制御情報、受信ＰＤＳＣＨデータについてのＨＡＲＱ−ＮＡＣＫ制御情報、タイプＩ  ＣＳＩパート１、タイプＩ  ＣＳＩパート２、タイプＩＩ  ＣＳＩパート１、および／またはタイプＩＩ  ＣＳＩパート２、チャネル品質インジケータ（ＣＱＩ）、プリコーディング行列インジケータ（ＰＭＩ）、プリコーディング・タイプ・インジケータ（ＰＴＩ）、ランク指示（ＲＩ）であり得る。
【０１２４】
制御情報は、制御情報入力インターフェース１０６を介してＵＥ１０２の伝送チャネル割り当て装置１０３に提供される。
【０１２５】
上位層構成情報または制御情報が上位層インターフェース１０９によって提供され得る。このインターフェースを介して構成パラメータまたは制御パラメータが、例えば情報要素（ＩＥ）を使用して提供され得る。一例では、ＴＳ３８．３３１によるＰＵＳＣＨ−Ｃｏｎｆｉｇ情報要素が使用され得る。
【０１２６】
伝送チャネル割り当て装置１０３またはプロセッサは、制限された制御情報を構成済みグラントリソースにおいてピギーバックまたは伝送するように適合された伝送チャネル制御装置１０４または送受信機１０４を有する。
【０１２７】
言い換えると、伝送チャネル制御装置１０４は、伝送チャネル、例えばＰＵＳＣＨを接続するための伝送チャネルインターフェース１０５を含む。伝送チャネル制御装置１０４は、制御情報入力インターフェース１０６とグラントインターフェース（図１には示されていない）をさらに含む。
【０１２８】
制御情報入力インターフェース１０６は、伝送チャネルインターフェース１０５を介して伝送されるべき制御情報を受信するように適合される。グラントインターフェースは、伝送チャネルインターフェースを構成するための情報および／または伝送チャネルを許可されたリソースとして構成するための情報を受信するように適合される。構成は、伝送チャネルおよび／または伝送チャネルインターフェース１０５のどの部分が制御情報サブチャネルとして使用され得るかを指示し得る。許可されたリソースとしての構成は、伝送チャネルおよび／または伝送チャネルインターフェースが情報を送信するように準備されていることを指示する。特にグラント指示は、ＢＳ１０１が制御サブチャネル１１０’’’または構成サブチャネル１１０’’’上で制御情報を受信するように準備されていることを指示した。
【０１２９】
伝送チャネル制御装置１０４または送受信機１０４は、伝送チャネルインターフェース１０５および／または伝送チャネル１１０’’、１１０’’’内が、許可されたリソースとして構成されている場合、制御情報入力インターフェース１０６上で受信された制御情報の選択を伝送チャネルインターフェース１０５および／または伝送チャネル１１０’’、１１０’’’においてピギーバック送信するように適合される。
【０１３０】
構成は、伝送チャネル１１０’’のサブチャネル１１０’’’を制御情報のために確保されたチャネルとして選択することを含み得る。伝送チャネルを許可されたリソースとして構成することは、グラントインターフェースが、ＢＳが構成された伝送チャネル上で制御情報を受信する用意ができていることを指示することを含み得る。
【０１３１】
ネットワーク機器１０１は、ネットワーク機器プロセッサ１１１とネットワーク機器送受信機１１２とを含み、ネットワーク機器プロセッサ１１１は、制限された制御情報を構成済みグラントリソース１１０’’’において送信するよう端末１０２を構成する命令を生成するように適合される。ネットワーク機器送受信機１１２は、命令を端末に送信するとともに、構成済みグラントリソース１１０’’’において制御情報を受信するように適合される。
【０１３２】
一例では、ネットワーク機器プロセッサ１１１は、リソースを許可するための命令を提供するようにも適合され得る。
【０１３３】
図２に、伝送チャネル上の制御情報の伝送を制御するための方法の流れ図を示す。本方法はアイドル状態Ｓ２０１で開始する。
【０１３４】
本方法は、制限された制御情報を構成済みグラントリソースにおいてピギーバックおよび／または伝送することを含む。そのために、本方法は状態Ｓ２０２において、制御情報入力インターフェース１０６上で、伝送チャネルインターフェース１０５を介して、特に伝送チャネル１１０’’、１１０’’’上で伝送されるべき制御情報を受信する。
【０１３５】
状態Ｓ２０３で、本方法は、グラントインターフェース上で、伝送チャネルインターフェース１０５および／または伝送チャネル１１０’’、１１０’’’を許可されたリソースとして構成するための情報を受信することを含む。
【０１３６】
さらに、状態Ｓ２０４で、本方法は、伝送チャネルインターフェース１０５および／または伝送チャネル１１０’’、１１０’’’が許可されたリソースとして構成されている場合、制御情報入力インターフェース１０６上で受信された制御情報の選択を伝送チャネルインターフェース１０５および／または伝送チャネル１１０’’、１１０’’’にピギーバックする。言い換えると、伝送チャネル１１０’’、１１０’’’が許可された後、伝送チャネル１１０’’の構成済みパート１１０’’’を、その構成でのセットアップとして制御情報または構成情報を伝送するために使用することができる。
【０１３７】
本方法は状態Ｓ２０５で終了する。
【０１３８】
一例では、構成済みグラントリソースにおけるピギーバックＵＣＩに使用されるリソース要素の数を、上位層パラメータによって直接、または間接的に、例えば利用可能なリソース要素の比率を構成することによって構成することができる。一例では、レート・マッチング・アルゴリズムが使用され得る。用いられる方法は、データと達成されるべき目標とに必要なリソースに依存し得る。さらに、構成済みグラントリソースと動的リソースとのリソース要素の数を別々に、または共通して構成することができる。言い換えると、構成済みグラントリソースのためにリソース要素の数を構成することができ、オンデマンドで許可され得る動的リソースとしてリソース要素の数を提供することができる。
【０１３９】
一例では、構成済みグラントリソースにピギーバックできる制限された制御情報は、異なる式に従って異なるタイプの制御情報についてまたは異なるタイプのＵＣＩについて計算され得る。制御情報タイプについて、特にＵＣＩタイプ、ＨＡＲＱ−ＡＣＫ、ＣＳＩパート１およびＣＳＩパート２について、ＰＵＳＣＨ上などの構成済みグラントリソース上で伝送されるべき部分は、式に従って計算され得る。伝送されるべきＨＡＲＱ−ＡＣＫビット数の式、ＣＳＩパート１のビット数の式、およびＣＳＩパート２のビット数の式などの伝送されるべきＵＣＩの部分の式があってもよい。監視装置が、許可されたビット数以下が伝送され得るよう保証し得る。
【０１４０】
一例では、伝送されるべきＵＣＩの部分Ｑは、ＵＣＩに必要なリソースの数と制限されるリソースの数との最小値として計算され得る。この式では、ＵＣＩはＨＡＲＱ−ＡＣＫビット、ＣＳＩパート１のビットおよび／またはＣＳＩパート２のビットであり得る。
【０１４１】
一般式のフォーマットでは、以下のとおりである。
【０１４２】
Ｑ＝ｍｉｎ｛ＵＣＩに必要なリソース，ＵＣＩの制限されるリソース｝
これらすべての式において、上位層パラメータによって、例えば上位層パラメータ「倍率」によって構成される変数αが使用され得る。パラメータ「倍率」は、ＰＵＳＣＨ上のＵＣＩに割り当てられるリソース要素の数を制限する倍率を指示する。変数αは、リソースが利用可能な限り異なるＵＣＩタイプを組み合わせることを可能にし得る。よって、リソースの容量を超えない限り、ＨＡＲＱ−ＡＣＫビット、ＣＳＩパート１のビットまたはＣＳＩパート２のビットが利用可能なリソース上にロードされ得る。この変数または倍数αは、利用可能な許可されたリソースをロードするときに制御情報のタイプおよび／または優先度を考慮することを可能にする。よって、異なるタイプの制御情報の混合が可能である。
【０１４３】
構成済みグラントリソースにピギーバックされるＵＣＩなどの制御情報について、優先度は、ＨＡＲＱ−ＡＣＫタイプの優先度がパート１ＣＳＩタイプよりも高くなるように選択される。またパート１ＣＳＩタイプの優先度はパート２ＣＳＩタイプよりも高い。
【０１４４】
リソースまたは伝送チャネルがＨＡＲＱ−ＡＣＫタイプの制御情報によってすでに使い果たされるか、または占有されている場合には、ＣＳＩタイプの制御情報、例えばＣＳＩパート１タイプやＣＳＩパート２タイプの情報は廃棄される。
【０１４５】
リソースまたは伝送チャネルがＨＡＲＱ−ＡＣＫタイプの情報およびＣＳＩパート１タイプの情報のためにすでに使い果たされるか、またはこれらによって占有されている場合には、ＣＳＩパート２タイプの情報は廃棄される。
【０１４６】
または言い換えると、ＵＣＩに提供されるリソースとＵＣＩに必要なリソースとの差が０である場合、低優先度のＵＣＩ情報は廃棄される（ＵＣＩに提供されるリソース−ＵＣＩに必要なリソース＝０）。対応する倍数が式と乗算されてもよく、この差が０に等しい場合、対応する等価は考慮に入れられない場合がある。
【０１４７】
ＨＡＲＱ−ＡＣＫ情報とＣＳＩパート１情報とが使用され得る別の例では、ＵＣＩに提供されるリソースはＨＡＲＱ−ＡＣＫに必要なリソースによって低減され、ＣＳＩパート１に必要なリソースによって低減される。リソースの残りはＣＳＩパート２ビットに使用され得る。
【０１４８】
しかしながら、［ＵＣＩに提供されるリソース−ＨＡＲＱ−ＡＣＫに必要なリソース−ＣＳＩパート１に必要なリソース＝０］の場合、ＣＳＩパート２ビットのリソースは利用できない。
【０１４９】
これらの式により、異なるタイプの制御情報が別のタイプの制御情報に対して有する優先度を考慮に入れることが可能になり、かつ／または制限されたリソースを介してどのタイプの制御情報を伝送できるかを判断することが可能になる。
【０１５０】
リソース要素は事前定義された容量を有し、提供されるリソースは制限される。
【０１５１】
一例では、４個のリソース要素がピギーバックＵＣＩに使用されると仮定され得る。ＵＣＩが４個のリソース要素を必要とする、例えば、制御情報入力インターフェース上で提供される制御情報が４個のリソース要素を必要とする場合には、４個のリソース要素が使用される。ＵＣＩが３個のリソース要素を必要とする場合には、３個のリソース要素が使用される。ＵＣＩが５個のリソース要素を必要とする場合には、４個のリソース要素がピギーバックＵＣＩに使用され、次いで残りのＵＣＩビットは廃棄されるはずである。このようにして、制御情報入力インターフェースを介して提供された制御情報の伝送のために構成された伝送チャネルを超える制御情報、制御情報の過剰な部分は廃棄される。伝送チャネルは、制御情報を搬送するように構成および／または適合された全体の伝送チャネルの部分であり得る。この構成済み部分は、伝送チャネルの容量を定義し、それぞれの伝送チャネルインターフェースの容量を定義し得る。制御情報の搬送のために構成されたこの部分は、トランスポートチャネルのサブチャネルであり得る。
【０１５２】
別の例では、構成済みトランスポートチャネルの容量が常に使用され、占有率を下回る場合、容量は空の情報で満たされる。例えば、ある想定では、４個のリソース要素がピギーバックＵＣＩに使用されるか、またはトランスポートチャネルの４個のＲＥが制御情報を搬送するように構成される。ＵＣＩが４個のリソース要素を必要とする場合には、４個のリソース要素が使用される。ＵＣＩが３個のリソース要素を必要とする場合には、４個のリソース要素が使用され、その場合１個のリソース要素は使用されるかまたは空白とされるかまたは空の情報で満たされ得る。ＵＣＩが５個のリソース要素を必要とする場合には、４個のリソース要素がピギーバックＵＣＩに使用され、次いで過剰なＵＣＩビットは廃棄されるはずである。
【０１５３】
例えば、ＨＡＲＱ−ＡＣＫおよびＣＳＩが構成済みグラントリソースにピギーバックされる。ピギーバックＵＣＩに使用されるリソース要素の数は上位層パラメータによって構成される。一例では、利用可能なリソース要素の数Ｍが上位層インターフェース１０９を介して提供される。別の例では、ＵＣＩピギーバックに利用可能なリソース要素の比率を定義する倍率αが上位層インターフェース１０９を介して提供される。
【０１５４】
ＨＡＲＱ−ＡＣＫとＣＳＩの組み合わせなどの制御情報タイプのグループの情報ビットの数量がリソース要素の容量以下である場合には、すべての情報ビットが構成済みグラントリソースにピギーバックされる。言い換えると、制御情報入力インターフェース上で提供される制御情報の数量が制御情報伝送のために確保された伝送チャネルの容量を超えない場合には、ｃｏｎｆｉｇ情報を廃棄せずにすべての制御情報を伝送することができる。
【０１５５】
特に、ＨＡＲＱ−ＡＣＫとＣＳＩの情報ビット数がＵＣＩピギーバックに使用されるリソース要素（ＲＥ）の容量以下である場合には、ＨＡＲＱ−ＡＣＫとＣＳＩのすべての情報ビットが構成済みグラントリソースにピギーバックされる。制御情報の搬送に使用されるように構成される、例えばＵＣＩピギーバックに使用されるように構成されるＲＥの容量は、少なくとも１つの構成済み変調および符号レートによって決定される。よって容量は、例えば、ベータオフセットとピギーバックＵＣＩに使用されるリソース要素の数とによって決定され得る。
【０１５６】
一例では、ＵＣＩ容量は、リソース要素をＵＣＩの変調次数とＵＣＩの符号レートとで乗算したサイズとして計算される（ＵＣＩ容量＝ＲＥ＊ＵＣＩの変調＊ＵＣＩの符号レート）。一例では、ＱＰＳＫの変調次数は２であり、１６ＱＡＭの変調次数は４であり、６４ＱＡＭの変調次数は６であり、２５６ＱＡＭの変調次数は８である。
【０１５７】
別の例では、ＵＣＩの変調次数とＵＣＩの符号レートとの積は、ベータオフセットをＵＣＩの変調次数とＵＣＩの符号レートとで乗算したものと等しい（ＵＣＩの変調＊ＵＣＩの符号レート＝ベータオフセット＊ＵＣＩの変調＊ＵＣＩの符号レート）。ベータオフセットは、ＵＣＩとデータとの間のＭＣＳオフセットである。
【０１５８】
そうではなく、ＨＡＲＱ−ＡＣＫとＣＳＩの情報ビット数がＵＣＩピギーバックに使用されるリソース要素（ＲＥ）の容量以下である場合には、ＨＡＲＱ−ＡＣＫと残りのＣＳＩの情報ビットがＵＣＩピギーバックに使用されるリソース要素の容量以下になるまで、ＣＳＩパート２がまず徐々に廃棄されることになる。次いで、ＨＡＲＱ−ＡＣＫと残りのＣＳＩが構成済みグラントリソースにおいてピギーバックおよび伝送される。言い換えると、それぞれの制御情報タイプの優先度に応じて、制御情報の伝送のために構成された利用可能なＲＥが満たされ、容量を超える制御情報のパートは廃棄される。
【０１５９】
例えば、ＨＡＲＱ−ＡＣＫおよびＣＳＩが構成済みグラントリソースにピギーバックされる。ピギーバックＵＣＩに使用されるリソース要素の数は、上位層パラメータ、例えば、Ｍ個のリソース要素や、ＵＣＩピギーバックに利用可能なリソース要素の比率のパラメータ倍率αによって構成される。
【０１６０】
ＨＡＲＱ−ＡＣＫとＣＳＩの情報ビット数がリソース要素の容量より小さい場合には、すべての情報ビットが構成済みグラントリソースにおいてピギーバックおよび伝送される。
【０１６１】
具体的には、制御情報の情報ビットの数、例えば、ＨＡＲＱ−ＡＣＫタイプの情報とＣＳＩタイプの情報のビットの組み合わせが、ＵＣＩピギーバックに使用されるリソース要素の容量以下である場合には、ＨＡＲＱ−ＡＣＫとＣＳＩのすべての情報ビットが構成済みグラントリソースにピギーバックされ、構成済み変調および符号レートで伝送される。容量は、構成済み変調および符号レートの少なくともによって、例えば、ベータオフセットおよびピギーバックＵＣＩに使用されるリソース要素の数によって決定される。
【０１６２】
別の例では、制御情報の情報ビットの数、例えば、ＨＡＲＱ−ＡＣＫタイプの情報とＣＳＩタイプの情報の組み合わせなど異なる制御情報タイプの組み合わせがリソースの容量以上である場合には、ＨＡＲＱ−ＡＣＫとＣＳＩの制御情報ビットの全部または一部の符号レートを増やす。伝送チャネルおよび／または伝送チャネルインターフェースの容量は、構成済み変調および／または符号レートの少なくとも１つによって、例えば、ベータオフセットおよびピギーバックＵＣＩに使用されるリソース要素の数によって決定される。符号レートは、ＨＡＲＱ−ＡＣＫとＣＳＩのすべての情報をＵＣＩピギーバックのための構成済みリソース要素においてピギーバックおよび伝送できるまで、１以下である。言い換えると、符号レートが値１を下回る限り、伝送チャネルインターフェースを介して制御情報を伝送することができる。符号レートは、ＵＣＩビットの数を変調次数と利用可能なリソース要素の数との商で乗算することによって計算される（符号レート＝ＵＣＩビット＊変調／リソース要素数）。符号レートは伝送チャネル制御装置１０４または送受信機１０４によって監視される。
【０１６３】
さらに別の例では、ＨＡＲＱ−ＡＣＫとＣＳＩとが構成済みグラントリソースに、かつ／または割り振られた伝送チャネルもしくは割り振られた伝送チャネルインターフェースを介してピギーバックされる。ピギーバックＵＣＩに使用されるリソース要素の数は、上位層パラメータ、例えば、Ｍ個のリソース要素や、ＵＣＩピギーバックに利用可能なリソース要素の比率のαによって構成される。
【０１６４】
制御情報の情報ビットの数、例えば制御情報ＨＡＲＱ−ＡＣＫとＣＳＩの組み合わせが、リソース要素および／または割り振られた伝送チャネルの容量より小さい例では、すべての情報ビットが構成済みグラントリソース、例えば、構成済みの許可された伝送チャネルにおいてピギーバックおよび伝送される。
【０１６５】
特に、制御情報の情報ビットの数、例えばＨＡＲＱ−ＡＣＫビットとＣＳＩビットの数が、ＵＣＩピギーバックに使用されるリソース要素の容量より小さい場合には、ＨＡＲＱ−ＡＣＫとＣＳＩのすべての情報ビットが構成済みグラントリソースにピギーバックされ、構成済み変調および符号レートを用いて伝送される。ＲＥの容量は、構成済み変調および符号レートによって、例えば、ベータオフセットおよびピギーバックＵＣＩに使用されるリソース要素の数によって決定される。
【０１６６】
制御情報の情報ビットの数、例えばＨＡＲＱ−ＡＣＫビットとＣＳＩビットの数が、リソース要素の容量より大きい例では、例えば、ＨＡＲＱ−ＡＣＫとＣＳＩの組み合わせなど、制御情報ビットの全部または一部の符号レートを増やす。リソースの容量は、構成済み変調および／または符号レートの少なくとも１つによって、例えば、ベータオフセットおよびピギーバックＵＣＩに使用されるリソース要素の数によって決定される。ただし、符号レートは、すべての制御情報、例えばＨＡＲＱ−ＡＣＫとＣＳＩの制御情報の組み合わせを、ＵＣＩピギーバックのための構成済みリソース要素においてピギーバックおよび伝送できるまで、常に１より小さい。
【０１６７】
別の例では、制御情報ビットの数、例えばＨＡＲＱ−ＡＣＫビットとＣＳＩビットの組み合わせが、ＵＣＩピギーバックに使用されるリソース要素の容量の上限より大きい場合、例えば、最高変調および符号レート＝１、または構成済み変調および符号レート＝１の場合には、制御情報のビットの数、例えばＨＡＲＱ−ＡＣＫのビットと残りのＣＳＩビットの組み合わせが、ＵＣＩピギーバックに使用されるリソース要素の容量の上限以下になるまで、ＣＳＩパート２がまず徐々に廃棄されることになる。次いで、ＨＡＲＱ−ＡＣＫと残りのＣＳＩが構成済みグラントリソースにおいてピギーバックおよび伝送される。言い換えると、制御情報の伝送中には、変調および符号レートが上限値、例えば１と対照して監視される。変調および符号レートが上限値を超えている限り、変調および符号レートがもはや上限を超えなくなるまで、制御情報がまず最低優先度の制御情報から廃棄される。過剰な情報は、リンクされた情報を考慮せずに、利用可能な容量だけに基づいて廃棄され得る。
【０１６８】
「ｃｏｍｐｒｉｓｉｎｇ（〜を含む）」という用語は他の要素またはステップを排除せず、「ａ」または「ａｎ」（１つの）は複数を排除しないことに留意されたい。また、異なる実施形態と関連付けて記載された要素が組み合わされてもよい。
【０１６９】
請求項中の参照符号は特許請求の範囲を限定するものと解釈されないことにも留意されたい。
【符号の説明】
【０１７０】
１００  通信システム
１０１  ネットワーク機器または基地局
１０２  ユーザ機器または端末
１０３  伝送チャネル割り当て装置またはプロセッサ
１０４  伝送チャネル制御装置または送受信機
１０５  伝送チャネルインターフェース
１０６  制御情報入力インターフェース
１０８  アンテナ
１０９  上位層インターフェース
１１０  接続
１１０’  下り（ＤＬ）制御チャネル１１０’
１１０’’  上り（ＵＬ）チャネル、伝送チャネル
１１０’’’  制御情報サブチャネル
１１１  ネットワーク機器プロセッサ
１１２  ネットワーク機器送受信機
【図１】
2021511690.tif 000003
【図２】
2021511690.tif 000004
【国際調査報告】
2021511690.tif 000005
2021511690.tif 000006